(57)【特許請求の範囲】
【請求項１】
音声に対応して伝えられる信号により振動する振動子と、
前記振動子の振動が伝えられて振動して、耳、及び／又は、耳周辺の人体に直接又は間接的に接触させられることにより前記人体に振動を伝え、耳、及び／又は、耳周辺の人体を振動させることにより鼓膜に振動を伝えるとともに、振動により外耳道内に気導音を生成して鼓膜に伝える振動部と、
前記振動部を耳、及び／又は、耳周辺の人体に当接するように保持する保持部と、
を備え、
前記保持部は、人体が直立した状態における耳輪の背後及び耳垂の背後に回り込み、かつ、耳珠に到るまで環状に繋がった形態で耳輪を囲んで装着できるように形成されており、前記振動部を、耳輪背後又は耳珠の少なくとも一方の耳介に直接又は間接的に当接させて保持するように形成されており、
前記振動部は、耳、及び／又は、耳周辺の人体に直接又は間接的に接触する複数の位置に配置されている音声伝達装置。
【請求項２】
請求項１に記載の音声伝達装置において、
前記振動部は、前記保持部により周りを覆われていること、
を特徴とする音声伝達装置。
【請求項３】
請求項１又は請求項２に記載の音声伝達装置において、
前記保持部は、弾性変形が可能な金属線を有すること、
を特徴とする音声伝達装置。
【請求項４】
請求項３に記載の音声伝達装置において、
前記金属線は、前記振動子の振動が伝えられて振動すること、
を特徴とする音声伝達装置。
【請求項５】
請求項１又は請求項２に記載の音声伝達装置において、
前記保持部は、弾性変形が可能であって、前記振動子の振動が伝えられて振動する振動伝達線を有すること、
を特徴とする音声伝達装置。
【請求項６】
請求項１又は請求項２に記載の音声伝達装置において、
前記保持部は、弾性変形が可能であって、前記振動子の振動が伝えられて振動する素材により形成されていること、
を特徴とする音声伝達装置。
【発明の詳細な説明】
【技術分野】
【０００１】
本発明は、人体に振動を伝え、耳介を振動させることにより鼓膜に振動を伝えるとともに、振動により外耳道内に気導音を生成して鼓膜に伝える音声伝達装置に関するものである。
【背景技術】
【０００２】
従来、ヘッドホン等では、空気の振動により音声が伝達する気導音を発生する通常のスピーカを用いたものが多い。この従来のヘッドホン等では、外耳道にイヤホンを挿入又は覆う形での形状が必要であり、外部の音が聞こえにくく、装着に違和感がある上、音漏れが多いという問題があった。また、従来のヘッドホン等では、騒音の大きな環境下では聞き取りにくいという問題があった。
【０００３】
これに対して、音漏れを解消でき、また、騒音環境下であっても聞き取りやすい音声伝達方法である骨伝導を用いるヘッドホン等が知られている（例えば、特許文献１）。骨伝導とは、人体の頭蓋骨に音声に対応した振動を伝え、その振動が骨を介して聴覚器官である蝸牛に伝わり、音声として認識させる音声伝達方法である。したがって、骨伝導では、空気が振動して音声伝達する気導音は発生せず、鼓膜を用いることなく、音声を伝達する。
【先行技術文献】
【特許文献】
【０００４】
【特許文献１】特開２０１１−１１４５１２号公報
【発明の概要】
【発明が解決しようとする課題】
【０００５】
しかし、骨伝導では、骨を振動させるために、振動発生源を人体に対して所定以上の力で押し付ける必要があり、利用者に違和感や不快感を与えるおそれがあった。
【０００６】
また、骨を振動させるためには、所定以上の振幅が必要であり、振動発生源を駆動するために大きな電力が必要であったり、振動発生源が大型化したりするおそれがあった。
【０００７】
本発明の課題は、利用者に与える違和感や不快感を低減でき、駆動電力も少なく、小型であって、音漏れが少なく、騒音環境下であっても聞き取りやすい音声伝達装置を提供することである。
【課題を解決するための手段】
【０００８】
本発明は、上記の課題を解決するために、以下の事項を提案している。なお、理解を容易にするために、本発明の実施形態に対応する符号を付して説明するが、これに限定されるものではない。
【０００９】
（１）本発明は、音声に対応して伝えられる信号により振動する振動子（５１１）と、前記振動子の振動が伝えられて振動して、耳、及び／又は、耳周辺の人体に直接又は間接的に接触させられることにより前記人体に振動を伝え、耳、及び／又は、耳周辺の人体を振動させることにより鼓膜に振動を伝えるとともに、振動により外耳道内に気導音を生成して鼓膜に伝える振動部（５１２）と、前記振動部を耳、及び／又は、耳周辺の人体に当接するように保持する保持部（５２０）と、を備え、前記保持部は、人体が直立した状態における耳輪の背後及び耳垂の背後に回り込み、かつ、耳珠に到るまで環状に繋がった形態で耳輪を囲んで装着できるように形成されており、前記振動部を、耳輪背後又は耳珠の少なくとも一方の耳介に直接又は間接的に当接させて保持するように形成されており、前記振動部は、耳、及び／又は、耳周辺の人体に直接又は間接的に接触する複数の位置に配置されている音声伝達装置（５００）を提案している。
【００１０】
この発明によれば、振動子は、音声に対応して伝えられる信号により振動する。振動部は、振動子の振動が伝えられて振動して、耳、及び／又は、耳周辺の人体に直接又は間接的に接触させられることにより人体に振動を伝え、耳、及び／又は、耳周辺の人体を振動させることにより鼓膜に振動を伝えるとともに、振動により外耳道内に気導音を生成して鼓膜に伝える。保持部は、振動部を耳、及び／又は、耳周辺の人体に当接するように保持する。保持部は、人体が直立した状態における耳輪の背後及び耳垂の背後に回り込み、かつ、耳珠に到るまで環状に繋がった形態で耳輪を囲んで装着できるように形成されており、振動部を、耳輪背後又は耳珠の少なくとも一方の耳介に直接又は間接的に当接させて保持するように形成されている。さらに、振動部は、耳、及び／又は、耳周辺の人体に直接又は間接的に接触する複数の位置に配置されている。したがって、音声伝達装置は、利用者に違和感を与えることなく、確実に耳、及び／又は、耳周辺の人体に振動を伝えることができる。また、音声伝達装置は、耳、及び／又は、耳周辺の人体に含まれる軟骨等の組織を介した振動伝導を利用するので、駆動電力も少なく、小型であって、音漏れが少なく、騒音環境下であっても聞き取りやすくできる。また、音声伝達装置は、人体への装着が確実となり、運動による脱落することを防止できる。
【００１９】
（２）本発明は、（１）に記載の音声伝達装置において、前記振動部（５１２）は、前記保持部（５２０）により周りを覆われていること、を特徴とする音声伝達装置（５００）を提案している。
【００２０】
この発明によれば、振動部は、保持部により周りを覆われている。したがって、保持部の素材を適宜選択することにより、肌触りをよくすることができる。
【００２１】
（３）本発明は、（１）又は（２）に記載の音声伝達装置において、前記保持部は、弾性変形が可能な金属線を有すること、を特徴とする音声伝達装置を提案している。
【００２２】
この発明によれば、保持部は、弾性変形が可能な金属線を有する。したがって、音声伝達装置は、利用者の耳の形状に合わせて、保持部の形状を適宜調節することができ、より良好な状態で装着可能である。
【００２３】
（４）本発明は、（３）に記載の音声伝達装置において、前記金属線は、前記振動子の振動が伝えられて振動すること、を特徴とする音声伝達装置を提案している。
【００２４】
この発明によれば、金属線は、振動子の振動が伝えられて振動する。したがって、音声伝達装置は、振動部から耳介に伝わる振動に加えて、金属線からも振動を耳介に伝えることができる。これにより、音声伝達装置は、より確実に振動を耳介に伝えることができる。
【００２５】
（５）本発明は、（１）又は（２）に記載の音声伝達装置において、前記保持部は、弾性変形が可能であって、前記振動子の振動が伝えられて振動する振動伝達線を有すること、を特徴とする音声伝達装置を提案している。
【００２６】
この発明によれば、保持部は、弾性変形が可能であって、振動子の振動が伝えられて振動する振動伝達線を有する。したがって、音声伝達装置は、利用者の耳の形状に合わせて、保持部の形状を適宜調節することができ、より良好な状態で装着可能である。また、音声伝達装置は、振動部から耳介に伝わる振動に加えて、振動伝達線からも振動を耳介に伝えることができる。これにより、音声伝達装置は、より確実に振動を耳介に伝えることができる。
【００２７】
（６）本発明は、（１）又は（２）に記載の音声伝達装置において、前記保持部は、弾性変形が可能であって、前記振動子の振動が伝えられて振動する素材により形成されていること、を特徴とする音声伝達装置を提案している。
【００２８】
この発明によれば、保持部は、弾性変形が可能であって、前記振動子の振動が伝えられて振動する素材により形成されている。したがって、音声伝達装置は、利用者の耳の形状に合わせて、保持部の形状を適宜調節することができ、より良好な状態で装着可能である。また、音声伝達装置は、振動部から耳介に伝わる振動に加えて、保持部の全体からも振動を耳介に伝えることができる。これにより、音声伝達装置は、より確実に振動を耳介に伝えることができる。
【発明の効果】
【００２９】
本発明によれば、利用者に与える違和感や不快感を低減でき、駆動電力も少なく、小型であって、音漏れが少なく、騒音環境下であっても聞き取りやすい音声伝達装置を提供できる。
【図面の簡単な説明】
【００３０】
【図１】振動発生部１１０を振動部１１２の平面の法線方向から透視して示した図である。
【図２】図１中に矢印で示したＤ−Ｄ断面を示す図である。
【図３】音声伝達装置１００の使用状態を説明するブロック図である。
【図４】第４実施形態の音声伝達装置５００を示す透視図である。
【図５】音声伝達装置５００を耳に装着した状態を示す図である。
【図６】振動発生部５１０の配置例を示す透視図である。
【発明を実施するための形態】
【００３１】
以下、図面を用いて、本発明の実施形態について詳細に説明する。
なお、本実施形態における構成要素は適宜、既存の構成要素等との置き換えが可能であり、また、他の既存の構成要素との組み合わせを含む様々なバリエーションが可能である。したがって、本実施形態の記載をもって、特許請求の範囲に記載された発明の内容を限定するものではない。
【００３２】
（第１実施形態）
図１は、振動発生部１１０を振動部１１２の平面の法線方向から透視して示した図である。
図２は、図１中に矢印で示したＤ−Ｄ断面を示す図である。
図３は、音声伝達装置１００の使用状態を説明するブロック図である。
【００３３】
音声伝達装置１００は、振動発生部１１０と、保持部１２０と、配線１３０とを備えている。
【００３４】
振動発生部１１０は、振動子１１１と、振動部１１２と、両面テープ１１３と、枠部材１１４と、基材１１５とを備えている。
【００３５】
振動子１１１は、増幅回路１５１等により増幅された可聴周波数帯域の音声信号に基づいて、駆動回路１４０が生成した駆動信号により駆動されて、音声信号に応じた振動を行う。また、振動子１１１は、両面テープ１１３を用いて振動部１１２に対して全面が貼り付けられており、振動子１１１の振動は、そのまま振動部１１２へ伝わる。
【００３６】
本実施形態の振動子１１１は、圧電セラミックのバイモルフ素子であり、ベンディングモード（撓み振動）で駆動する。振動子１１１に使用する圧電材料は、高変位な圧電材料を積層した素子であり、アンプから音声信号に忠実な電圧を圧電素子へ印加することにより、振動子１１１は、（結果として）音声信号を再現するように振動する。
【００３７】
振動部１１２は、薄板状の部材であり、周縁部分が基材１１５に対して接着又は両面テープを用いて固定されている。また、振動部１１２の中心付近には、上述したように振動子１１１が両面テープ１１３により貼り付けられている。したがって、振動部１１２は、振動子１１１が振動すると、振動子１１１の撓み振動とともに撓み振動を行う。
本実施形態の振動部１１２としては、アクリル、ＰＥＴ等の樹脂素材が望ましいが、ガラス素材でもよい。また、振動部１１２の外側に、さらにシリコンゴムにより被覆して、肌触りを良好にしてもよい。
【００３８】
両面テープ１１３は、振動子１１１と振動部１１２とを接合するための接着部材である。
【００３９】
枠部材１１４は、振動発生部１１０の振動部１１２とは反対側、及び、外周領域を形成する部材である。枠部材１１４と振動子１１１との間には、隙間Ｓが設けられている。この隙間Ｓを設けることにより、振動子１１１及び振動部１１２の振動を阻害することを防止できる。なお、隙間Ｓの部分には、振動を阻害しないような柔軟な素材、例えば、スポンジ状の部材等を設けてもよい。
【００４０】
基材１１５は、振動部１１２と枠部材１１４とを接続する部材であり、枠部材１１４の内側であって、外周壁部分に沿って振動子１１１を囲むように配置されている。ただし、基材１１５は、振動子１１１には、接触しないように設けられている。
【００４１】
本実施形態の振動発生部１１０が発生する振動は、利用者の耳介に伝えられ、耳介に含まれる軟骨を介した振動伝導により、鼓膜に振動を伝えるとともに、振動により外耳道内で音波を生成し鼓膜に伝え、最終的な音として認識させられる。従来の骨伝導は、頭蓋骨を振動させ、直接内耳（蝸牛、三半規管等）に振動を送ることにより音を認識させるため、鼓膜を使わない。これに対して、本方式は一旦外耳道を震わせ空気による音波振動（気導音）を生成し、鼓膜を通じ通常の音と同様の認識をする点で、骨伝導とは大きく異なっている。また、骨を振動させる必要がないので、骨伝導と比較して微弱な振動であっても音声を伝えることができる。
【００４２】
保持部１２０は、耳珠２ｂ及び対耳珠２ｃの内側に挿入されて装着できるように形成されている。保持部１２０は、振動部１１２を耳垂２ｄの上方の耳介に当接して保持するように振動発生部１１０の上方に接続している。
【００４３】
配線１３０は、駆動回路１４０を介して再生機器１５０から送られる音声信号に応じた駆動信号を振動子１１１に伝えるケーブルである。配線１３０の一端は振動子１１１に接続されている。また、配線１３０の他端は、不図示のコネクタ等を用いて再生機器１５０等へ接続される。
【００４４】
駆動回路１４０は、再生機器１５０から送られた音声信号を、振動子１１１の駆動に適した形態の信号に変換する回路である。なお、駆動回路１４０の機能は、再生機器１５０内に内蔵されていてもよいし、音声伝達装置１００の一部として設けられていてもよい。
【００４５】
再生機器１５０は、増幅回路１５１と出力部１５２とを備えている。再生機器１５０は、例えば、携帯音楽再生機、携帯電話装置、テレビジョン受像機等、音声を出力する機器であれば、その形態は、どのようなものであってもよい。
増幅回路１５１は、再生する音楽等の音声信号を増幅するアンプである。
出力部１５２は、再生機器１５０から音声を出力する端子である。
【００４６】
以上説明したように、本実施形態の音声伝達装置１００は、保持部１２０が振動部１１２を耳垂上方の耳介に当接して保持するように振動発生部１１０の上方に接続しているので、利用者に違和感や不快感を与えることなく、確実に耳介に振動を伝えることができる。また、音声伝達装置１００は、簡単な構成により保持部１２０を構成したので、小型かつ軽量な装置とすることができる。また、音声伝達装置１００は、圧電セラミックの振動子をエキサイタとして使うことにより、外耳道を開放したまま音楽が楽しめ、長時間の使用や暑い夏でも耳が暑くならず、開放感溢れたリスニングが楽しめる。また、音声伝達装置１００は、音漏れが少なく秘密性を保つことができる。さらに、音声伝達装置１００は、開放されている耳穴を手でふさげば生成された音波が鼓膜側に集中するため音圧が自然上昇するとともに、外界の騒音を遮断して、騒音環境下であっても明瞭に音声を聞き取ることを可能とする。さらに、音声伝達装置１００は、骨を振動させる必要が無いので、骨伝導と比較して微弱な振動であっても音声を伝えることができ、したがって、振動発生部１１０を小型に形成できる。また、音声伝達装置１００は、振動部１１２を人体に対して強く押し付ける必要がないので、利用者に違和感を与えにくい。さらに、接続される再生機器１５０が必要とする消費電力を低く抑えることもできる。
【００４７】
（第２実施形態）
なお、前述した第１実施形態と同様の機能を果たす部分については、重複する説明を適宜省略する。
【００４８】
音声伝達装置２００は、振動発生部２１０と、保持部２２０と、配線２３０とを備えている。
【００４９】
振動発生部２１０は、第１実施形態の振動発生部１１０と同様なユニットであり、振動子２１１と、振動部２１２とを備えている。ただし、第２実施形態の振動発生部２１０は、全体が保持部２２０内に包含されており、外周を保持部２２０により被覆されている。
【００５０】
保持部２２０は、人体が直立した状態における耳輪の上方及び背後に回り込む形態で装着できるように形成されている。第２実施形態の保持部２２０は、軟質の樹脂により形成されている。保持部２２０内には、振動発生部２１０と金属線２２１とが設けられている。
金属線２２１は、弾性変形可能なばね材により形成されており、保持部２２０の形状に沿って内蔵されている。よって、保持部２２０は、利用者の耳の形になじむ形に形状を変形させることができる。
また、金属線２２１は、振動発生部２１０の振動部２１２に接触しており、振動部２１２の振動が伝えられて振動する。よって、金属線２２１は、利用者の耳輪２ａの背後の耳介の略全体に振動を伝えることができる。
【００５１】
金属線としては、例えば、ステンレス鋼、ニッケルクロム鋼、炭素鋼、コバルト合金、リン青銅、金合金、純チタン、βチタン、マグネシウム、アルミニウム、サンプラチナ（登録商標）等を用いることができる。また、上記の他、金属線として、例えば、チタン−ニッケル合金、ゴムメタル（登録商標）等の超弾性の性質を持つ合金を用いてもよい。
【００５２】
さらに、保持部２２０は、振動部２１２を耳輪２ａ背後の耳介に当接して保持するように形成されている。したがって、振動発生部２１０は、保持部２２０の下方であって、音声伝達装置２００を利用者の耳に装着したときに、耳輪２ａの背後となる位置に配置されている。
【００５３】
配線２３０は、第１実施形態の配線１３０と同様である。
【００５４】
以上説明したように、第２実施形態の音声伝達装置２００は、保持部２２０内に振動発生部２１０を内蔵している。したがって、人体に対する肌触りの感触を良好にできるとともに、振動発生部を保護できる。また、音声伝達装置２００は、保持部２２０内に金属線２２１を内蔵している。したがって、振動部２１２により耳介に振動を伝えるだけではなく、金属線２２１からも耳介に振動を伝える。よって、音声伝達装置２００は、利用者毎に異なる耳の形状に柔軟に対応して、より聞き取りやすい状態で使用されることが可能となる。
【００５５】
（第３実施形態）
なお、前述した第１実施形態と同様の機能を果たす部分については、重複する説明を適宜省略する。
【００５６】
音声伝達装置３００は、振動発生部３１０と、保持部３２０と、配線３３０とを備えている。
【００５７】
振動発生部３１０は、第１実施形態の振動発生部１１０と同様なユニットであり、振動子３１１と、振動部３１２とを備えている。ただし、第３実施形態の振動発生部３１０は、全体が保持部３２０内に包含されており、外周を保持部３２０により被覆されている。
【００５８】
保持部３２０内には、振動発生部３１０と金属線３２１とが設けられており、保持部３２０には、孔部３２２が形成されている。
金属線３２１は、第２実施形態の金属線２２１と同様である。
孔部３２２は、保持部３２０の一端部に開口しており、眼鏡１０００のつる端部が挿入される。なお、本実施形態の孔部３２２は、非貫通であるが、貫通していてもよい。
保持部３２０は、孔部３２２に挿入された眼鏡１０００が人体に装着されたときに、振動部３１２を耳輪２ａの背後の耳介に当接して保持するように形成されている。
【００５９】
配線３３０は、第１実施形態の配線１３０と同様である。
【００６０】
以上説明したように、第３実施形態の音声伝達装置３００は、保持部３２０内に振動発生部３１０を内蔵している。したがって、人体に対する肌触りの感触を良好にできるとともに、振動発生部を保護できる。
また、音声伝達装置３００は、保持部３２０内に金属線３２１を内蔵している。したがって、振動部３１２により耳介に振動を伝えるだけではなく、金属線３２１からも耳介に振動を伝える。よって、音声伝達装置３００は、利用者毎に異なる耳の形状に柔軟に対応して、より聞き取りやすい状態で使用されることが可能となる。
さらに、音声伝達装置３００は、眼鏡１０００のつる端部が挿入可能な孔部３２２を有しており、保持部３２０は、孔部３２２に挿入された眼鏡１０００が人体に装着されたときに、振動部３１２を耳輪２ａの背後の耳介に当接して保持するように形成されている。したがって、音声伝達装置３００は、眼鏡１０００に接続して、その眼鏡１０００を装着するだけで、音声を耳介に含まれる軟骨を介した振動伝導により伝えることができる。
【００６１】
（第４実施形態）
図４は、第４実施形態の音声伝達装置５００を示す透視図である。
図５は、音声伝達装置５００を耳に装着した状態を示す図である。
なお、前述した第１実施形態と同様の機能を果たす部分については、重複する説明を適宜省略する。
【００６２】
音声伝達装置５００は、振動発生部５１０と、保持部５２０と、配線５３０とを備えている。
【００６３】
振動発生部５１０は、第１実施形態の振動発生部１１０と同様なユニットであり、振動子５１１と、振動部５１２とを備えている。ただし、第４実施形態の振動発生部５１０は、全体が保持部５２０内に包含されており、外周を保持部５２０により被覆されている。
【００６４】
保持部５２０は、人体が直立した状態における耳輪２ａの背後及び耳垂２ｄの背後に回り込み、かつ、耳珠２ｂに到るまで環状に繋がった形態で耳輪２ａを囲んで装着できるように形成されている。保持部５２０は、振動発生部５１０（振動部５１２）を、耳珠２ｂに保持部５２０の素材を挟んで間接的に当接させる。
【００６５】
配線５３０は、第１実施形態の配線１３０と同様である。
【００６６】
上述した例では、振動発生部５１０（振動部５１２）は、耳珠２ｂに当接することができる位置に配置されている例を挙げて説明した。本実施形態の保持部５２０は、耳輪２ａを囲む形態に形成されているので、振動発生部５１０を他の位置に配置することも可能である。
図６は、振動発生部５１０の配置例を示す透視図である。
振動発生部５１０は、上記例で示した位置Ａの他、例えば、位置Ｂや位置Ｃに配置してもよい。位置Ｂは、耳輪２ａの背後の上方に振動発生部５１０が当接可能な位置である。位置Ｃは、耳輪２ａの背後の下方に振動発生部５１０が当接可能な位置である。この他、図示しないが、耳輪２ａの中央の背後に当接可能な位置に配置してもよい。すなわち、振動発生部５１０は、耳介に当接することができる位置であれば、どの位置に設けられていてもよい。
また、振動発生部５１０は、上記位置Ａ，Ｂ，Ｃのいずれか１つにのみ配置されることに限らず、これらのうちの複数の位置に配置されていてもよい。
【００６７】
以上説明したように、第４実施形態の音声伝達装置５００は、耳輪２ａを囲む形態で装着できるように形成されている。よって、人体への装着が確実となり、運動等により脱落することを防止できる。また、音声伝達装置５００は、保持部５２０内に振動発生部５１０を内蔵している。したがって、人体に対する肌触りの感触を良好にできるとともに、振動発生部を保護できる。
【００６８】
以上、この発明の実施形態につき、図面を参照して詳述してきたが、具体的な構成はこの実施形態に限られるものではなく、この発明の要旨を逸脱しない範囲の設計等も含まれる。
【００６９】
（変形形態）
例えば、各実施形態において、音声伝達装置は、配線を再生機器にコネクタ等を用いて接続する例を挙げて説明した。これに限らず、例えば、コネクタ等を介さずに再生機器等に直接接続されていてもよいし、配線を設けずに、無線で音声信号を受信して振動子を振動させるような形態としてもよい。
【００７０】
また、各実施形態において、振動発生部は、振動部と枠部材とを有している例を挙げて説明した。これに限らず、例えば、振動子を樹脂で包み込む形で一体成型として振動発生部を形成してもよいし、保持部を形成する樹脂で振動子を直接包み込む形で一体成型としてもよい。
【００７１】
さらに、第２実施形態から第４実施形態において、振動発生部（振動部）は、保持部に周りを覆われている形態を挙げて説明した。これに限らず、例えば、第２実施形態から第４実施形態においても、第１実施形態と同様に振動発生部（振動部）を露出させて直接耳介に接触可能としてもよい。
【００７２】
さらにまた、第２実施形態及び第３実施形態において、金属線を有する例を挙げて説明した。これに限らず、例えば、金属線と同様な作用を有する振動伝達線を設けてもよい。振動伝達線は、弾性変形が可能であって、振動子の振動が伝えられて振動することができるものであればよい。振動伝達線としては、例えば、ＣＡ（セルロースアセテート）樹脂、ＣＰ（セルロースプロピオネート）樹脂、ナイロンといったポリアミド樹脂、オプチルといったエポキシ樹脂、セルロイド、ポリカーボネート、カーボン樹脂等の繊維強化プラスチックの他、超弾性の性質をもつポリフェニルサルフォン等を用いることができる。
【００７３】
また、各実施形態において、保持部自体を、弾性変形が可能であって、振動子の振動が伝えられて振動する素材により形成してもよい。このようにすると、保持部の全体からも振動を耳介に伝えることができ、音声伝達装置は、より確実に振動を耳介に伝えることができる。
【００７４】
なお、第１実施形態から第４実施形態及び変形形態は、適宜組み合わせて用いることもできるが、詳細な説明は省略する。
【符号の説明】
【００７５】
２ａ    耳輪
２ｂ    耳珠
２ｃ    対耳珠
２ｄ    耳垂
１００，２００，３００，５００  音声伝達装置
１１０，２１０，３１０，５１０  振動発生部
１１１，２１１，３１１，５１１  振動子
１１２，２１２，３１２，５１２  振動部
１１３  両面テープ
１１４  枠部材
１１５  基材
１２０，２２０，３２０，５２０  保持部
１３０，２３０，３３０，５３０  配線
１４０  駆動回路
１５０  再生機器
１５１  増幅回路
１５２  出力部
２２１，３２１  金属線
３２２  孔部
１０００  眼鏡
【図１】
0005918660.tif 000002
【図２】
0005918660.tif 000003
【図３】
0005918660.tif 000004
【図４】
0005918660.tif 000005
【図５】
0005918660.tif 000006
【図６】
0005918660.tif 000007